(57)【要約】【課題】ポート噴射の燃料噴射装置による吸気行程時の噴射において、噴霧燃料の吸気弁裏面への衝突および付着を抑制すること、および噴霧燃料を吸気ポート内の吸気流に乗せてポート壁面への付着を抑制して燃焼室内に流入させることを目的とする。【解決手段】エンジンンの部分負荷運転の場合に吸気弁閉時に吸気弁に向かうように噴射する第１燃料噴射ノズルと４７と、高負荷運転時に吸気弁開時に吸気ポート内を流れる吸気流の中心流に乗るように第１燃料噴射ノズル４７からの噴霧の向きを変えるアシストエアを供給するとともに、アシストエアが噴霧の微細化を促進し、さらに、吸気弁３１は軸部３１ａと弁体部３１ｂと弁体部３１ｂの裏面側に軸部３１ａから弁体部３１ｂの外周に向かって形成される傾斜面を有した膨出部６１とを有し、中心流に乗って流れる噴霧の弁体部３１ｂの裏面側への衝突角度を減少させることを特徴とする。【選択図】図１
2014190183.tif 000002
【特許請求の範囲】
【請求項１】
吸気ポートに設けられて吸気弁に向かって燃料を噴射する燃料噴射弁を備えたエンジンの燃料噴射装置において、
エンジンンの部分負荷運転時には、吸気弁閉時に前記吸気弁の裏側で吸気弁の中央部に向かうように噴射する第１燃料噴射手段と、
エンジンの高負荷運転時には、吸気弁開時に前記吸気ポート内を流れる吸気流の中心流に乗るように噴射する第２燃料噴射手段と、
前記高負荷運転時に噴射する第２燃料噴射手段からの噴霧を前記第１燃料噴射手段による噴霧より微細化する微細化手段と、
前記吸気弁は、軸部と該軸部の一端側に設けられた弁体部とを有し、該弁体部の裏面側に前記軸部から弁体部の外周に向かって形成された傾斜面を有し、前記高負荷運転時における前記中心流に乗って流れる噴霧の前記弁体部の裏面側への衝突角度を減少させる膨出部と、を備えたことを特徴とするエンジンの燃料噴射装置。
【請求項２】
前記第１燃料噴射手段は、前記吸気弁の裏側で吸気弁の中央部に向かって噴射する第１燃料噴射ノズルからなり、前記第２燃料噴射手段は、該第１燃料噴射ノズルと該第１燃料噴射ノズルからの噴射燃料を吸気流の中心流に乗る方向に変更させるアシストエアの供給手段とを有し、該アシストエアが前記微細化手段としても機能することを特徴とする請求項１記載のエンジンの燃料噴射装置。
【請求項３】
前記アシストエアの供給手段が前記第１燃料噴射ノズルの内部に組み込まれていることを特徴とする請求項２記載のエンジンの燃料噴射装置。
【請求項４】
前記第１燃料噴射手段は、吸気ポートに取り付けられ前記吸気弁の裏側で吸気弁の中央部に向かって噴射する第１燃料噴射ノズルからなり、前記第２燃料噴射手段は、前記第１燃料噴射ノズルより上流側であって前記吸気流の中心流の上流位置に配設された第２燃料噴射ノズルから構成されることを特徴とする請求項１記載のエンジンの燃料噴射装置。
【請求項５】
前第２燃料噴射ノズルは、前記第１燃料噴射ノズルに比べると噴口の数が多いと共に、第１燃料噴射ノズルより高い圧力で噴射され、該第２燃料噴射ノズルによって前記微細化手段が構成されることを特徴とする請求項４記載のエンジンの燃料噴射装置。
【請求項６】
前記第１燃料噴射手段と前記第２燃料噴射手段とが一体になり、噴射方向および噴射圧力を変更できる噴射方向切替え噴射ノズルによって構成されることを特徴とする請求項１記載のエンジンの燃料噴射装置。
【請求項７】
前記吸気弁の膨出部の内部が中空となっていることを特徴とする請求項１乃至６のいずれか１項に記載のエンジンの燃料噴射装置。
【請求項８】
前記吸気弁の膨出部の外周面は略円錐形状に形成されていることを特徴する請求項１乃至７のいずれか１項に記載のエンジンの燃料噴射装置。
【請求項９】
前記円錐形状の外表面は前記弁体部の外周側から軸部側に縮径する湾曲面に形成されていることを特徴とする請求項８記載のエンジンの燃料噴射装置。
【請求項１０】
前記吸気弁の燃焼室中心軸側の前記膨出部の外周面の傾斜が該吸気ポート内を流れる吸気流に略沿う方向に形成されることを特徴とする請求項１乃至９のいずれ１項に記載のエンジンの燃料噴射装置。
【発明の詳細な説明】
【技術分野】
【０００１】
本発明は、エンジンの燃料噴射装置に関し、特に、吸気ポート内に燃料を噴射するポート噴射による燃料噴射装置に関するものである。
【背景技術】
【０００２】
エンジンへの燃料供給装置として、吸気ポート内に燃料を噴射するポート噴射装置、燃焼室内に直接燃料を噴射する筒内直接噴射装置、これらを併用する装置が知られている。
ポート噴射装置においては、一般的に、吸気弁が閉じている排気行程で、吸気弁の裏を狙ってポート内に噴射し、燃料が高温の吸気弁に当たることに加えて蒸発時間が長くとれるため、良質な均一混合気が得られる。しかし、燃焼室へ流入する混合気の冷却が得られ難く、ノッキングの発生、高圧縮比化が難しい課題を有している。
【０００３】
また、ポート噴射装置において、エンジンの高回転または高負荷運転時に、混合気の冷却効果と良質な均一混合気を得るために、吸気行程噴射が行われている。
しかし、図１０（Ａ）に示すように、低回転または低負荷運転時に、吸気弁の裏を狙った方向のままで、高回転または高負荷運転時に吸気行程噴射すると、噴霧が吸気の流れに乗らずに吸気ポート壁面に当たってしまい壁面に付着してしまう問題が生じる。
また、うまく吸気流に乗った噴霧も多くが吸気弁の裏面に衝突して付着してしまい燃焼室内への流入が妨げられる。
また、噴霧の一部が吸気弁から筒内に入るが、対面のシリンダ壁に付着してしまう問題も生じる。
また、噴射期間が吸気行程内であるため噴射期間が短く、高回転高負荷では燃料噴射量が不足するとともに、霧化気化時間が不足することで、良質な混合気が得られない問題も有している。
【０００４】
ポート噴射装置における吸気行程噴射に関する先行技術として、特開２００１-２６３１４２号公報（特許文献１）、及び特開２０１２−８７６９５号公報（特許文献２）が提案されている。
特許文献１には、ポート噴射リーンバーンエンジンにおいて、燃料噴射弁、及び吸気ポートを開閉する吸気弁と、吸気弁の上流側に配設される吸気流制御装置とを備えて、エンジンが低負荷・低回転時には、噴射燃料を低ペネトレーション噴霧（噴霧到達距離が短い噴射）とし、高負荷・高回転時には高ペネトレーション噴霧（噴霧到達距離が長い噴射）とすることにより、エンジンの吸気行程に同期させて噴射すると共に、吸気流制御装置（スワールコントロールバルブ）から流入する気流で搬送するようにして壁面付着を抑制する技術が開示されている。
【０００５】
また、特許文献２には、ポート噴射装置において、エンジン回転数とエンジン負荷とエンジン冷却水温度等に基づいて、所定負荷以上の性能重視運転の第１噴射モードと、排ガス重視運転の第２噴射モードとのどちらに制御するかを判断し、第１噴射モードのとき、燃料噴射弁は吸気行程において吸気バルブとバルブシートとの隙間に向けて燃料を噴射し、第２噴射モードのとき、燃料噴射弁は、気排気行程または膨脹行程において吸気バルブの中央付近を狙って燃料を噴射する技術が開示されている。
【先行技術文献】
【特許文献】
【０００６】
【特許文献１】特開２００１−２６３１４２号公報
【特許文献２】特開２０１２−８７６９５号公報
【発明の概要】
【発明が解決しようとする課題】
【０００７】
特許文献１には、高回転・高負荷時の吸気行程噴射のときに、高ペネトレーション噴射にする（噴霧到達距離が長い噴射）ため、ポート内壁面への燃料付着は抑制されるものであるが、吸気弁の裏面近くまで噴霧が到達するようになるため、吸気弁傘部への衝突および付着についての問題は依然として有する。また。吸気弁の上流側に吸気流の向きを制御する吸気流制御装置（スワールコントロールバルブ）を設けるため吸気流路の損失が増大するとともに、吸気流路の構造が複雑化する。
【０００８】
また、特許文献２には、所定負荷以上の時に第１噴射モードを選択して、燃料噴射弁は吸気行程において吸気バルブとバルブシートとの隙間に向けて燃料を噴射するものであるが、噴射方向の切換えは電磁アクチュエータを用いて燃料噴射弁自体を回動して噴射方向を変更するものであるため、回動機構による装置の大型化や回動機構による吸気ポート内のシール性の問題等を有する。さらに、前記特許文献１でも説明したように、吸気弁の傘部への衝突および付着についての問題は依然として有する。
【０００９】
従って、吸気ポート噴射装置による吸気行程時噴射を行う技術として前記特許文献１、２が提案されているが、吸気弁裏面（傘部）への衝突および付着についての問題や、簡単化した装置によって、吸気行程の短時間の間に噴霧燃料を燃焼室に効率よく多く導入することについては依然問題があり、改善の余地を有している。
【００１０】
そこで、本発明はかかる従来技術の問題点に鑑み、ポート噴射の燃料噴射装置による吸気行程時の噴射において、噴霧燃料の吸気弁裏面への衝突および付着を抑制すること、および大きな構造変更をすることなく簡単な装置によって噴霧燃料を吸気ポート内の吸気流に乗せてポート壁面への付着を抑制して燃焼室内に流入させることを目的とする。
【課題を解決するための手段】
【００１１】
本発明はかかる目的を達成するため、吸気ポートに設けられて吸気弁に向かって燃料を噴射する燃料噴射弁を備えたエンジンのポート噴射装置において、
エンジンンの部分負荷運転時には、吸気弁閉時に前記吸気弁の裏側で吸気弁の中央部に向かうように噴射する第１燃料噴射手段と、エンジンの高負荷運転時には、吸気弁開時に前記吸気ポート内を流れる吸気流の中心流に乗るように噴射する第２燃料噴射手段と、前記高負荷運転時に噴射する第２燃料噴射手段からの噴霧を前記第１燃料噴射手段による噴霧より微細化する微細化手段と、前記吸気弁は、軸部と該軸部の一端側に設けられた弁体部とを有し、該弁体部の裏面側に前記軸部から弁体部の外周に向かって形成された傾斜面を有し、前記高負荷運転時における前記中心流に乗って流れる噴霧の前記弁体部の裏面側への衝突角度を減少させる膨出部と、を備えたことを特徴とする。
【００１２】
かかる発明によれば、エンジンの高負荷運転時には、吸気弁開時に吸気ポート内を流れる吸気流の中心流に乗るように第２燃料噴射手段によって噴射するため、吸気ポート壁面に当たって付着することが抑制される。
【００１３】
また、吸気弁の弁体部の裏面側に軸部から弁体部の外周に向かって傾斜面を有する膨出部を形成したので、高負荷運転時に前記中心流に乗って流れる噴霧が吸気弁の裏面側へ衝突する衝突角度が減少するため、衝突した噴霧が蒸発せずにはじかれる割合が大きくなる。これによって、吸気弁に衝突して付着する割合が減少して、燃焼室へ効率よく多量の燃料が導入されて気化熱による混合気温度の低下が得られる。
さらに、微細化手段を備えているため、噴霧が微細化されることで、吸気流に乗って流れやすくなるため、吸気弁への付着が減少する。
【００１４】
従って、混合気の冷却効果が得られて耐ノッキング性が向上して高負荷時の高圧縮化、高出力化が可能になる。
【００１５】
また、本発明において好ましくは、前記第１燃料噴射手段は、前記吸気弁の裏側で吸気弁の中央部に向かって噴射する第１燃料噴射ノズルからなり、前記第２燃料噴射手段は、該第１燃料噴射ノズルと該第１燃料噴射ノズルからの噴射燃料を吸気流の中心流に乗る方向に変更させるアシストエアの供給手段とを有し、該アシストエアが前記微細化手段としても機能する。
【００１６】
かかる構成によると、高負荷時に吸気行程噴射した噴霧が、アシストエアによって吸気ポート内を流れる吸気流の中心流に乗るように、吸気ポートの中央部に押し出されて向きが変えられるため、気流に乗った噴霧の大部分は吸気弁に衝突することなく燃焼室内に入り、燃焼室内に入る吸気は燃料の気化熱で冷却されて温度が低下する。
【００１７】
さらに、アシストエアが前記微細化手段としても機能するため、すなわち、噴霧方向を変えるためのアシストエアによって、噴霧が微細化される。
従って、前述のように、アシストエアによって吸気ポート内を流れる吸気流の中心流に乗るように、吸気ポートの中央部に押し出されて向きが変えられだけでなく、噴霧の微細化によって、気流に乗った噴霧の大部分が吸気弁に衝突することなく燃焼室内に入る効果を一層得られる。
【００１８】
また、本発明において好ましくは、前記アシストエアの供給手段が前記第１燃料噴射ノズルの内部に組み込まれているとよい。
かかる構成によると、第１燃料噴射ノズルとは別に、さらに吸気ポート内にアシストエアの噴出口を設ける必要がないため、装置構造を簡単化できる。
【００１９】
また、本発明において好ましくは、前記第１燃料噴射手段は、吸気ポートに取り付けられ前記吸気弁の裏側で吸気弁の中央部に向かって噴射する第１燃料噴射ノズルからなり、前記第２燃料噴射手段は、前記第１燃料噴射ノズルより上流側であって前記吸気流の中心流の上流位置に配設された第２燃料噴射ノズルから構成されるとよい。
【００２０】
かかる構成によると、高負荷時に吸気行程噴射する第２燃料噴射ノズルが、前記吸気流の中心流の上流位置に配設されているため、第２燃料噴射ノズルからの噴霧は、吸気流の中心流に乗るように噴射されため、噴霧方向を変えるアシストエアのような手段を設ける必要がないため、装置構造を簡単化するとともに、吸気流の中心流に乗る噴霧を確実に生成できる。
【００２１】
また、本発明において好ましくは、前第２燃料噴射ノズルは、前記第１燃料噴射ノズルに比べると噴口の数が多いと共に、第１燃料噴射ノズルより高い圧力で噴射され、該第２燃料噴射ノズルによって前記微細化手段が構成されるとよい。
【００２２】
かかる構成によると、前第２燃料噴射ノズルは、第１燃料噴射ノズルより高流量および高圧力に対応した燃料噴射ノズルを用いるため、燃料の微細化および高流量化が促進されて、高負荷運転時に、吸気弁に衝突して付着する割合が減少して、燃焼室へ効率よく多量の燃料を導入して気化熱による混合気温度の低下が得られる。
【００２３】
また、本発明において好ましくは、前記第１燃料噴射手段と前記第２燃料噴射手段とが一体になり、噴射方向および噴射圧力を変更できる噴射方向切替え噴射ノズルによって構成されるとよい。
【００２４】
かかる構成によると、第１燃料噴射手段である第１燃料噴射ノズルとは別に、第２燃料噴射手段である第２燃料噴射ノズルを別々に設置し、また第１燃料噴射ノズルに対してアシストエアの供給手段を設ける必要がないため、装置構造を簡単化できる。
【００２５】
また、本発明において好ましくは、前記吸気弁の膨出部の内部が中空となっているとよい。
このように、内部が中空状態になっているため、軽量化できる。さらに、吸気弁の膨出部によって噴霧の弁体部の裏面への衝突角度が浅くなることに加えて、中空としたことによって、傘部温度が中実に比べて低くでき、衝突した噴霧の蒸発が抑制されて、蒸発せずにはじかれる割合が増加し、吸気弁に衝突して付着する割合が減少して、燃焼室へ効率よく多量の燃料を導入できるようになる。
【００２６】
また、本発明において好ましくは、前記吸気弁の膨出部は略円錐形状に形成されているとよい。
このように、吸気弁の膨出部が略円錐形状に形成されているため、吸気弁の膨出部によって噴霧の弁体部の裏面への衝突角度が浅くなることによって得られるはじかれる作用を効果的に得ることができる。
【００２７】
また、本発明において好ましくは、前記円錐形状の外表面は前記弁体部の外周側から軸部側に縮径する流線形の湾曲面に形成されているとよい。
このように、前記円錐形状の外表面は前記弁体部の外周から軸部側に縮径する流線形の湾曲面に形成されているため、吸気流路損失を与えず、かつ吸気流路の面積を確保して吸気流量が膨出部によって低減することを抑制できる。
【００２８】
また、本発明において好ましくは、前記吸気弁の燃焼室中心側の前記膨出部の外周面の傾斜が該吸気ポート内を流れる吸気流に略沿う方向に形成されるとよい。
すなわち、図１０（Ｃ）に示すように、膨出部の傾斜方向が、吸気ポート内の吸気流の方向に略沿った形状となっているため、吸気弁の裏面への噴霧の衝突が軽減されるとともに、対面するシリンダの壁面の付着も低減される。
【発明の効果】
【００２９】
本発明によれば、ポート噴射の燃料噴射装置による吸気行程時の噴射において、噴霧燃料の吸気弁裏面への衝突および付着を抑制することができ、さらに大きな構造変更をすることなく簡単な装置によって噴霧燃料を吸気ポート内の吸気流に乗せてポート壁面への付着を抑制して燃焼室内に流入させることができる。
その結果、燃焼室へ効率よく多量の燃料を導入して気化熱による混合気温度の低下が得られ、混合気の冷却効果が得られて耐ノッキング性が向上して高負荷時の高圧縮化、高出力化が可能になる。
【図面の簡単な説明】
【００３０】
【図１】本発明の第１実施形態にかかる燃料噴射装置が適用されるエンジンの全体構成を示す概略図である。
【図２】第１実施形態の要部断面図である。
【図３】第２実施形態にかかる燃料噴射装置が適用されるエンジンの全体構成を示す概略図である。
【図４】（Ａ）は第２実施形態の要部断面図であり、（Ｂ）は（Ａ）のＭ部の拡大要部断面図である。
【図５】第３実施形態にかかる燃料噴射装置が適用されるエンジンの全体構成を示す概略図である。
【図６】第３実施形態の要部断面図である。
【図７】（Ａ）は第４実施形態の燃料噴射装置が適用されたエンジンの要部断面図であり、（Ｂ）は、（Ａ）の噴射方向切替え噴射ノズルの概略構成を示す模式図である。
【図８】第１燃料噴射ノズルからの燃料噴射方向を示し、吸気ポートの平面視説明図である。
【図９】吸気弁の外形形状を示す説明図である。
【図１０】（Ａ）は従来技術を示し、（Ｂ）は参考例としての吸気弁に膨出部が設けられていない場合の吸気流の説明図であり、（Ｃ）は本発明の膨出部を設けた場合の吸気流の説明図である。
【発明を実施するための形態】
【００３１】
以下、本発明に係る実施形態について図面を用いて詳細に説明する。なお、以下の実施形態に記載されている構成部品の寸法、材質、形状、その相対配置などは特に特定的な記載がない限り、この発明の範囲をそれのみに限定する趣旨ではなく、単なる説明例にすぎない。  
【００３２】
（第１実施形態）
本発明の第１実施形態について、図１、２を参照して説明する。
図１、図２に、車両用のエンジンとしてポート燃料噴射の４サイクルガソリンエンジン（以下、単にエンジンという）１を示す。エンジン１は、吸気２弁、排気２弁を有する複数の気筒（シリンダ）３を備えている。本実施形態では４気筒の例を示し、該４気筒を有するシリンダブロック５と、その上に取付けられたシリンダヘッド７とを備えている。各気筒３にはピストン９が往復動可能に収容されている。
【００３３】
気筒３毎の燃焼室１１には、スロットルバルブ１３、サージタンク１５、吸気マニホールド１７等を有する吸気通路１９が接続されている。吸気通路１９の最下流部分は、シリンダヘッド７に形成された吸気ポート２１によって構成されている。
【００３４】
また、エンジン１には、過給機２３が備えられており、過給機２３の過給コンプレッサ２３ａによって加圧された給気は、インタークーラ２５によって冷却されて、冷却された給気はスロットルバルブ１３を介してサージタンク１５内に流入し、サージタンク１５内に流入した給気は、各気筒３の吸気ポート２１を通って燃焼室１１に流入するようになっている。
また、排ガスは、排気ポート２７に接続された排気マニホールド２９によって各気筒３の排ガスが集められて、過給機２３の過給タービン２３ｂに導かれ、過給機２３を作動して、その後、図示しない排ガス処理装置を通って排出されるようになっている。
【００３５】
図２に示すように、シリンダヘッド７には、吸気ポート２１と燃焼室１１との開口部の開閉を行う吸気弁３１と、排気ポート２７と燃焼室１１との開口部の開閉を行う排気弁３３とが、気筒３毎にそれぞれ２本ずつ往復動可能に設けられている。
【００３６】
これらの吸・排気弁３１、３３はバルブスプリング３５によって、前記開口部を閉じる方向（閉弁方向）である上方へ常に付勢されている。吸気弁３１の略上方には吸気カム３６を有する吸気カムシャフト３７が設けられ、また排気弁３３の略上方には排気カム３８を有する排気カムシャフト３９が設けられている。これらの吸・排気カムシャフト３７、３９は、エンジン１の出力軸である図示しないクランクシャフトの回転が伝達される。
【００３７】
このクランクシャフトからの伝達により吸・排気カムシャフト３７、３９が回転し、スイングアーム４１、４３が回動することによってバルブスプリング３５に抗して吸・排気弁３１、３３をそれぞれ押下げる。これらの押下げにより、吸・排気ポート２１、２７の各開口部が開放される。
【００３８】
エンジン１には、各気筒３に気筒の中央部に点火プラグ４５が取り付けられている。また、吸気マニホールド１７の下流端部には、吸気ポート２１内の下流に向けて燃料を噴射する第１燃料噴射手段である第１燃料噴射ノズル４７が各気筒に対応して取り付けられている。
【００３９】
図８は、第１燃料噴射ノズル４７からの燃料噴射方向を示す平面視図である。図８の符号Ａで示すように、第１燃料噴射ノズル４７は、２つの吸気弁３１、３１のそれぞれ弁体部３１ｂ（図９参照）の中央部に向かって噴射するように設定されている。なお、符号Ａで示す噴射方向は、噴霧の中心方向を示すものであり、噴口は必ずしも左右１つずつではなく、複数の噴口からの噴霧の中心方向であってもよい。
【００４０】
図１に示すように、第１燃料噴射ノズル４７への燃料は、第１燃料ポンプ４９から加圧燃料が各第１燃料噴射ノズル４７に供給されて、制御装置５１からの制御信号によって、第１燃料噴射ノズル４７が開閉作動して、噴射開始、停止を行うようになっている。
【００４１】
アシストエアを供給する電動エアポンプ５３が設けられ、第１燃料噴射ノズル４７の噴口の直下にアシストエアの出口５５が設けられている。フィルター５４を介して導入した大気を圧縮する電動エアポンプ５３からのアシストエアは、各気筒３に対応して設けられたアシストエア制御弁５７に供給されて、制御装置５１からの制御信号によって、アシストエア制御弁５７が開閉作動して、アシストエアの噴射開始、停止を行うようになっている。
【００４２】
アシストエアが供給されると、図２のように、第１燃料噴射ノズル４７から吸気弁３１の弁体部３１ｂの中央に向かって噴射された噴霧Ａが、アシストエアによって吸気ポート２１内を流れる吸気流の中心流Ｃに乗る噴霧Ｂのように、吸気ポート２１の中央部に押し出されて向きが変えられる。
これによって、噴霧の大部分は吸気ポート２１内の吸気の気流に乗ることができるため吸気弁３１の弁体部３１ｂの裏面に衝突することなく燃焼室１１内に入り、燃焼室１１内に流入した吸気は燃料の気化熱によって冷却が促進される。
【００４３】
なお、第１燃料噴射ノズル４７とアシストエア制御弁５７によって、本発明の第２燃料噴射手段を構成している。
また、高負荷運転時に、吸気行程噴射を行うときに、アシストエアの噴射と同時に第１燃料噴射ノズル４７への燃料供給圧力も高めて、噴射圧力を高めるようにしている。
【００４４】
次に、吸気弁３１について説明する。
吸気弁３１は、図９のように、軸部３１ａと、該軸部３１ａの一端側に設けられた円形状の弁体部３１ｂとによって構成され、該弁体部３１ｂの裏面側に軸部３１ａから弁体部３１ｂの外周に向かって略円錐形状の円錐傾斜面３１ｃを有する膨出部６１が形成されている。弁体部３１ｂの外周端面にはシート面３１ｄが形成され、該シート面３１ｄは、吸気ポート２１の開口端縁に着座する角度に設定されている。
【００４５】
膨出部６１は、所謂傘部を形成するものであるが、弁体部３１ｂとの傾斜角度θ（図９参照）は、１５°〜６０°の範囲に設定され、望ましくは５０°〜６０°に設定されるとよい。ポート燃料噴射のエンジンにおいては、吸気閉弁時に吸気弁裏面に向けた噴射によって、吸気弁に衝突させて蒸発させることで混合状態を良好にしているため、ポート燃料噴射のエンジンにおける吸気弁は一般的に、前記傾斜角度θは、５°〜１５°の範囲に設定されている。しかしこの範囲では吸気弁への衝突、付着問題の解消の効果は期待できないため、この１５°を超える角度として設定するとともに、また６０°を超えると、吸気ポート２１内の流路断面積を膨出部６１によって狭めてしまい吸気流量を確保できなくなるおそれがあるからである。
【００４６】
前記範囲内の角度にすることで、吸気弁３１の膨出部６１が略円錐形状に形成されているため、この吸気弁３１の膨出部６１によって噴霧の弁体部３１ｂの裏面への衝突角度が浅くなることによって、噴霧がはじかれる作用を効果的に得ることができる。
【００４７】
また、図９のように、円錐形状の外表面が弁体部３１ｂの外周側から軸部３１ａ側に縮径する流線形の湾曲面３１ｅによって形成されていてもよい。図９には、便宜的に円錐傾斜面１３ｃと湾曲面３１ｅとの両方の形状を重ねて示す。
このように、弁体部１３ｂの外周から軸部１３ａ側に縮径する流線形の湾曲面１３ｅに形成することによって、吸気流路の面積を確保して吸気流量が膨出部６１によって大幅に低減することを抑制できる。
【００４８】
吸気弁３１と吸気ポート２１とのシリンダヘッド７内における設定角度によって、最適な傾斜角θは変化するが、前記範囲内の角度の膨出部６１によって、図１０（Ｃ）のＰ部に示すように、吸気弁３１の気筒中心側の膨出部６１の傾斜角度θは吸気ポート２１内を流れる吸気流の流れに略沿う方向に形成される。すなわち、膨出部６１の傾斜方向が、吸気ポート２１内の吸気流の方向に略沿った形状とされるため、吸気弁３１の裏面への噴霧の衝突が軽減されるとともに、対面するシリンダの壁面の付着も低減される。
【００４９】
図１０（Ａ）は、従来技術を示し、低負荷運転時に吸気弁の裏を狙った方向のままで、高負荷運転時に噴射すると、噴霧が吸気の流れに乗らずに吸気ポート壁面に当たってしまい壁面に付着してしまう。
図１０（Ｂ）は、参考例を示し、高負荷運転時に噴射方向を下向きにした場合を示し、吸気弁３１には膨出部６１が設けられていない場合を示し、噴霧は吸気の流れに乗っているが、噴霧は吸気弁３１の裏面側に衝突して付着する。
図１０（Ｃ）は、本願発明であり、膨出部６１を設けた場合を示し、前述のように、円錐傾斜面３１ｃが吸気ポート内の吸気流の方向に略沿った形状となっている。このため、吸気弁の裏面への噴霧の衝突が軽減されるとともに、対面するシリンダの壁面の付着も低減される。
【００５０】
また、吸気弁３１は、図９に示すように中空部３２を有する構造としてもよい。さらに、中空部３２には金属ナトリウムを封入してもよい。中空部３２の構造とすることで、吸気弁３１の裏面への熱伝達が阻害されて温度が低下するので、衝突した燃料が蒸発せずに、はじかれる割合が多くなり、燃焼室１１内への燃料の流入割合が増大する。さらに、中空部分に金属ナトリウムを封入することで、熱伝導率が増大して裏面温度を高めることができるので、金属ナトリウムの量によって、高温が望ましい部分負荷と低温が望ましい高負荷のバランスを取ることができる。
【００５１】
次に、燃料噴射装置の作動について説明する。
図１に示すように、制御装置５１は、エンジン回転数およびエンジン負荷信号をもとにエンジン１の運転状態を検出し、部分負荷または中、低回転の運転状態か、高負荷または高回転の運転状態かの判定を行い、部分負荷または中、低回転の運転状態の時には、前記第１燃料噴射ノズル４７に噴射開始信号を、吸気弁３１が閉じているタイミングで出力する。
【００５２】
また、高負荷または高回転の運転状態の時には、前記第１燃料噴射ノズル４７に噴射開始信号を、吸気弁３１が開時の吸気行程のタイミングで出力する。それとともに、アシストエアの供給と同時に第１燃料噴射ノズル４７への燃料供給量および圧力を高めて、噴射量および噴射圧力を高める。
【００５３】
このように、高負荷または高回転時の吸気行程噴射時に、アシストエアが前記微細化手段としても機能し、噴霧方向を変えるアシストエアによって、噴霧が微細化される。
従って、アシストエアによって吸気ポート内を流れる吸気流の中心流に乗るように、吸気ポートの中央部に押し出されて向きが変えられだけでなく、噴霧の微細化によって、気流に乗った噴霧の多くが吸気弁３１に衝突することなく燃焼室１１内に入るようになる。
【００５４】
以上の第１実施形態によれば、噴霧燃料の吸気弁３１の裏面への衝突および付着を抑制することができ、さらに、第１燃料噴射ノズル４７と、アシストエア制御弁５７を設けることで、吸気ポート２１内の構造を大きな変更をすることなく、外部からの装着で簡単な装置によって噴霧燃料を吸気ポート２１内の吸気流に乗せて吸気ポート壁面への付着を抑制して燃焼室１１内に多くの燃料を流入させることができる。
その結果、燃焼室１１へ効率よく多量の燃料を導入して気化熱による混合気温度の低下が得られ、混合気の冷却効果が得られて耐ノッキング性が向上して高負荷時の高圧縮化、高出力化が可能になる。
【００５５】
（第２実施形態）
図３、４を参照して第２実施形態を説明する。
第２実施形態は、第１実施形態のアシストエアの供給手段が第１燃料噴射ノズル４７の内部に組み込まれている。その他の構成は第１実施形態と同様である。
【００５６】
図３、図４（Ａ）のように、アシストエアを供給する電動エアポンプ５３が設けられ、第１燃料噴射ノズル６５に設けられたアシストエア取入口６８に、電動エアポンプ５３からのアシストエアが供給される。
制御装置５１からの制御信号によって、アシストエア制御弁６７が開閉作動して、アシストエアの噴射開始、停止を行うようになっている。
アシストエアの噴射タイミングについて、およびアシストエアの噴射と同時に第１燃料噴射ノズル６５への燃料供給量および圧力を高めて噴射量および圧力を高めるようにする点については、第１実施形態と同様である。
【００５７】
図４（Ｂ）のように、第１燃料噴射ノズル６５の先端部分に、アシストエア噴口７０が形成されており、第１燃料噴射ノズル６５の噴口６９からの噴霧を、このアシストエア噴口７０からのアシストエアによって、向きを変えるとともに微細化する。
【００５８】
かかる第２実施形態によれば、第１燃料噴射ノズル４７とは別に、さらに吸気ポート２１内にアシストエアの出口５５を設ける必要がないため、装置構造を簡単化できる。その他の作用効果は第１実施形態と同様である。
【００５９】
（第３実施形態）
図５、６を参照して第３実施形態を説明する。
第３実施形態は、第１実施形態に対して、第２燃料噴射ノズル７１が、第１燃料噴射ノズル４７より上流側であって吸気ポート２１内の吸気流の中心流Ｃの上流位置に配設されている。
【００６０】
第１燃料噴射ノズル４７が、第１実施形態および第２実施形態と同様の位置に配置されている。しかし、第１実施形態および第２実施形態でのアシストエアの供給手段は設けられていない。
アシストエアの供給手段に代えて、高負荷運転時の吸気行程時に噴射する第２燃料供給手段である第２燃料噴射ノズル７１が、サージタンク１５の各気筒に対応する位置に設けられている。すなわち、各気筒３の吸気管７３の入口に対向する位置に設けられている。
また、この第２燃料噴射ノズル７１は、吸気ポート２１の吸気流の中心流Ｃの方向に噴射方向の中心が指向している。また、第１燃料噴射ノズル４７より噴口の数が多く、多量で高圧の燃料が噴射されるようになっている。
【００６１】
第１燃料噴射ノズル４７には、第１燃料噴射ポンプ４９からの吐出圧力の燃料が供給され、第２燃料噴射ノズル７１には、第２燃料ポンプ７５からの吐出圧力の燃料がそれぞれ別々に供給されるようになっている。それぞれの噴射ノズルに適した圧力を供給できるようになっている。
【００６２】
第３実施形態によれば、第２燃料噴射ノズル７１からの噴霧を微細化し、多量の燃料を吸気ポート２１の吸気流の中心流Ｃに乗せることができる。
また、第２燃料噴射ノズル７１は吸気流の中心流Ｃの上流位置に配設されているため、第２燃料噴射ノズル７１からの噴霧は、噴霧方向を変えるアシストエアのような手段を設ける必要がないため、装置構造を簡単化するとともに、吸気流の中心流Ｃに乗る噴霧を確実に生成できる。
また、第２燃料噴射ノズル７１で噴射された噴霧は、吸気管７３の管長があるためその内部で、吸気流に乗って気化混合しながら吸気弁３１に向かうため混合促進され混合気温度が低下する。
【００６３】
さらに、高圧、高流量に対応できる第２燃料噴射ノズル７１を用いるため、分割噴射を行うことができるようになる。すなわち、１サイクル中に噴射する燃料を、時間間隔を設けて複数回に分けて噴射することにより、噴射した燃料が複数の噴霧の塊になって、噴霧の外周に加えて前後でも空気と混ざるので、混合が促進されるとともに微細化も促進される。
【００６４】
さらに、第２燃料噴射ノズル７１は、サージタンク１５に取り付けられるため、温度環境や圧力環境への対応が容易であるため筒内直接噴射の噴射ノズルよりも大幅に低コストで実現でき、筒内直接噴射と同様に気化熱によって筒内温度を低下できる吸気ポート噴射を達成できる。
【００６５】
（第４実施形態）
図７を参照して第４実施形態を説明する。
第４実施形態は、第１実施形態および第２実施形態において、アシストエアを用いて噴霧の向きを変えていたが、アシストエアを用いずに、噴射方向を変えるとともに噴射圧力を変更できる噴射方向切替え噴射ノズル８１を用いるものである。
【００６６】
図７（Ａ）の全体構成は、図１においてアシストエアの供給手段が設けられていない構成と同様である。
第１実施形態の第１燃料噴射ノズル４７に代えて、当該位置に噴射方向切替え噴射ノズル８１を設けたものである。図７（Ｂ）は、図７（Ａ）の噴射方向切替え噴射ノズル８１の概略構成を示す模式図である。
【００６７】
噴射ノズル本体８３の下端部には、低圧用噴口８５が直下に噴霧を噴射するように設けられ、下部の斜め上方には、高圧用噴口８７が斜め下方に噴霧を噴射するように設けられている。
低圧用噴口８５は低圧用針弁８９の上下動によって開閉され、同様に、高圧用噴口８７は高圧用針弁９１の上下動によって開閉されるようになっている。
【００６８】
低圧用噴口８５から噴射した場合には、第１実施形態の図２で示すように、Ａ方向に噴射するようになっており、高圧用噴口８７から噴射した場合には、Ｂ方向に噴霧が向かうようになり、吸気量の中心流Ｃ方向に乗るように噴射する。
【００６９】
高圧用針弁９１の中央部に低圧用針弁８９が内嵌している。それぞれの針弁８９、９１は、閉弁方向に付勢する低圧用閉弁スプリング９３、高圧用閉弁スプリング９５によって閉弁されている。
【００７０】
噴射ノズル本体８３の上部には、燃料噴射制御弁９７および切替えバルブ９９が設けられている。燃料噴射制御弁９７は、燃料噴射量、噴射タイミングを制御するものであり、高圧燃料噴射ポンプ１０１からの高圧燃料を、切替えバルブ９９に供給する。
切替えバルブ９９に供給された燃料は、燃料圧力を利用して自動的に低圧の場合には、低圧燃料通路１０３に切替えられ、高圧の場合には高圧燃料通路１０５に自動的に切り替えられる。
【００７１】
低圧噴射に切り替えられた場合には、低圧燃料通路１０３に供給された燃料は、前記低圧用針弁８９のシート部に供給し、低圧用閉弁スプリング９３の押圧力に抗して該低圧用針弁８９を押し上げることで、低圧用噴口８５が開口して低圧噴射が下方向に行われる。
【００７２】
一方、高圧噴射に切り替えられた場合には、高圧燃料通路１０５に供給された燃料は、前記高圧用針弁９１のシート部に供給され、高圧用閉弁スプリング９５の押圧力に抗して該高圧用針弁９１を押し上げることで、高圧用噴口８７が開口して高圧噴射が斜め下方向に行われる。
【００７３】
以上のような、噴射方向切替え噴射ノズル８１を用いることによって、第１実施形態および第２実施形態のアシストエアの供給を不要とし、また第３実施形態の第１燃料噴射ノズル４７とは別に第２燃料噴射ノズル７１とを設ける必要がないため、装置構造を簡単化できる。その他の作用効果については第１実施形態の説明と同様である。
【産業上の利用可能性】
【００７４】
本発明によれば、ポート噴射の燃料噴射装置による吸気行程時の噴射において、噴霧燃料の吸気弁裏面への衝突および付着を抑制することができ、さらに大きな構造変更をすることなく簡単な装置によって噴霧燃料を吸気ポート内の吸気流に乗せてポート壁面への付着を抑制して燃焼室内に流入させることができる。
その結果、燃焼室へ効率よく多量の燃料を導入して気化熱による混合気温度の低下が得られ、混合気の冷却効果が得られて耐ノッキング性が向上して高負荷時の高圧縮化、高出力化が可能になるので、ガソリンエンジンの吸気ポートへの燃料噴射装置への適用技術として有用である。
【符号の説明】
【００７５】
１  エンジンン
３  気筒
９  ピストン
１１  燃焼室
１３  スロットルバルブ
１５  サージタンク
１７  吸気マニホールド
２１  吸気ポート
３１  吸気弁
３１ａ  軸部
３１ｂ  弁体部
３１ｃ  円錐傾斜面
３１ｄ  シート面
３１ｅ  湾曲面
３２  中空部
４５  点火プラグ
４７、６５  第１燃料噴射ノズル（第１燃料噴射手段）
４９  第１燃料ポンプ
５１  制御装置
５３  電動エアポンプ
５７、６７  アシストエア制御弁（アシストエアの供給手段）
６１  膨出部
７１  第２燃料噴射ノズル（第２燃料噴射手段）
７５  第２燃料ポンプ
８１  噴射方向切替え噴射ノズル
Ｃ  中心流
【図１】
2014190183.tif 000003
【図２】
2014190183.tif 000004
【図３】
2014190183.tif 000005
【図４】
2014190183.tif 000006
【図５】
2014190183.tif 000007
【図６】
2014190183.tif 000008
【図７】
2014190183.tif 000009
【図８】
2014190183.tif 000010
【図９】
2014190183.tif 000011
【図１０】
2014190183.tif 000012